(57)【特許請求の範囲】
【請求項１】
獣毛と合成繊維毛とを混合する混毛化粧ブラシであって、獣毛と合成繊維毛の混合状態は全体が均一に混合されており、合成繊維毛の穂丈寸法を、獣毛の穂丈寸法より長くして、ブラシの穂先に穂丈寸法差による段差を確保したことを特徴とする混毛化粧ブラシ。
【請求項２】
獣毛と合成繊維毛との混合割合が、４５〜５５：４５〜５５であることを特徴とする請求項１記載の混毛化粧ブラシ。
【請求項３】
混毛化粧ブラシの全体形状が扁平状(板状)ブラシであって、側面から見た穂先形状が、中央部になだらかな傾斜の凹部があり、その凹部の左右になだらかな傾斜の凸部があるように形成したことを特徴とする請求項１又は２記載の混毛化粧ブラシ。
【発明の詳細な説明】
【技術分野】
【０００１】
本発明は混毛化粧ブラシに係り、さらに詳しくは、獣毛と合成繊維毛とを混毛させて得られる化粧ブラシに関する。
【背景技術】
【０００２】
従来より、チークブラシ、フェイスブラシ、パウダーブラシなどの化粧料を塗布するための化粧ブラシが広く用いられており、その全体形状は、筆型、丸型、さらには扁平状（板状）などを呈する各種の化粧ブラシが提案されている。
この扁平状化粧ブラシにあっては、その塗布面形状(穂先形状)の形態から基本的なものとして、側面から見て水平状、かまぼこ状(図２のＢ)、一部に丸みを帯びた斜め状(図２のＣ，Ｄ)のものなどが知られている。
【０００３】
化粧ブラシにおいては、化粧料、特にパウダー状化粧料の保持に適し、かつ肌面（ひたい、目の回り、鼻、ほほ、あご）への接触感に優れ、全体のコシの強さの確保や、化粧料の塗布性などを考慮して、獣毛と合成繊維毛とを混毛させることが行われている。
その代表的なものとしては、下記のような公報が存在する。
【先行技術文献】
【特許文献】
【０００４】
【特許文献１】特公平５−７４４７９号公報
【特許文献２】特開２００７−１６７２９７号公報
【発明の概要】
【発明が解決しようとする課題】
【０００５】
一般的に、天然毛である獣毛（主として、馬の獣毛）は、全体的にやわらかくキューティクルがあるので粉含みが良く、化粧料を肌にのせる効果に優れるが、パウダーがつきすぎて不均一になりやすい傾向があった。
また、獣毛と合成繊維毛の穂丈寸法を同じになるように混毛した従来の混毛化粧ブラシは、肌へのフィット感や仕上がりの均一さが足りなくなるという課題があった。
【０００６】
そのため本発明は、獣毛と合成繊維毛とを全体が均一となるように混合し、合成繊維毛の穂丈寸法を、獣毛の穂丈寸法より長くして、ブラシの穂先（毛先側）に穂丈寸法差による段差を確保することにより、上記のすべての課題を解決できる混毛化粧ブラシを提供せんとするものである。
【課題を解決するための手段】
【０００７】
本発明に係る混毛化粧ブラシの請求項１のものは、獣毛と合成繊維毛とを混合する混毛化粧ブラシであって、獣毛と合成繊維毛の混合状態は全体が均一に混合されており、合成繊維毛の穂丈寸法を、獣毛の穂丈寸法より長くして、ブラシの穂先に穂丈寸法差による段差を確保したことを特徴とする混毛化粧ブラシである。
【０００８】
また請求項２は、獣毛と合成繊維毛との混合割合が、４５〜５５：４５〜５５であることを特徴とする請求項１記載の混毛化粧ブラシである。
【０００９】
さらに請求項３は、混毛化粧ブラシの全体形状が扁平状(板状)ブラシであって、側面から見た穂先形状が、中央部になだらかな傾斜の凹部があり、その凹部の左右になだらかな傾斜の凸部があるように形成したことを特徴とする請求項１又は２記載の混毛化粧ブラシである。
【発明の効果】
【００１０】
本発明の請求項１の混毛化粧ブラシは、獣毛には粉含みの良さ、合成繊維毛には肌へのフィット感や化粧料を均一に塗布する効果があり、それぞれの良さを有する獣毛と合成繊維毛の混合状態を全体的に均一に混合したため、獣毛と合成繊維毛のそれぞれの良さを維持しながら、穂丈寸法が一段と長めの合成繊維毛で肌を磨き、ツヤを出すような効果を発揮する。
合成繊維毛は、肌の凹凸(フェースライン・頬骨・鼻筋など)にもフィットし易いため、化粧ブラシ全体として肌への接触感が向上する効果がある。
【００１１】
また請求項２の混毛化粧ブラシは、獣毛と合成繊維毛とを均一状態で混合し、その混合割合がほぼ均等に近い状態であるため、ブラシの一部に偏在した混毛ブラシと比較して化粧ブラシ全体が安定した混毛効果を発揮でき、それに伴う化粧ブラシの肌への接触感が向上する効果を発揮できる。
【００１２】
また請求項３の混毛化粧ブラシは、混毛化粧ブラシの全体形状が扁平状(板状)ブラシであって、側面から見た穂先形状が、中央部になだらかな傾斜の凹部があり、その凹部の左右になだらかな傾斜の凸部があるように形成したため、曲面を呈する肌面、特にひたい、目の回り、鼻、ほほ、あごなどに穂先をあてがうと、穂先形状が上記の形状であることから、微妙な曲面にまんべんなく接することができ、穂先の肌面への接触感が向上し、かつ化粧料のつきも良くなるという効果を発揮する。
【図面の簡単な説明】
【００１３】
【図１】本発明の混毛化粧ブラシの、毛先部を示す拡大正面図である。
【図２】Ａ，Ｂ，Ｃ，Ｄは、各種形態の混毛化粧ブラシを示す正面図である。
【発明を実施するための形態】
【００１４】
以下、図面を参照して本発明の混毛化粧ブラシの実施の形態を説明するが、本発明はこれらの実施の形態に制限されるものではない。
図１は本発明の混毛化粧ブラシの毛先部を示す拡大正面図であり、図２は各種形態の混毛化粧ブラシを示す正面図である。
【００１５】
図１及び図２に示す本発明に係る混毛化粧ブラシ１０は、獣毛１と合成繊維毛２とを５０：５０という均一密度で混合しているが、この混合割合は４５〜５５：４５〜５５の範囲で自由に選択できるようにしておくことが好ましい。
獣毛１は、主として馬の毛を使用するが、そのほかにイタチ、灰リス、松リス、カナダリス，山羊、狸、鹿、牛、羊、兎、猿、猫、狐、豚、狼、ムササビなどの毛を使用することができる。
【００１６】
また合成繊維毛２としては、ＰＢＴ（ポリブチレンテレフタレート）、ナイロン、ＰＥＴなどの合成繊維毛が主として使用される。ここでＰＢＴは、ブラシ全体にコシと弾力性を与え、ブラシの耐久性と使い易さが向上し、穂先の肌面への接触感を向上させる。
さらに、化粧料のお肌への“つき”を良くし、獣毛同士の“くっつき”を抑えて、毛材の乾燥効果も向上させる。
【００１７】
まず混毛化粧ブラシ１０は、獣毛１と合成繊維毛２とで構成され、合成繊維毛２の穂丈寸法Ｌ２は、獣毛１の穂丈寸法Ｌ１より長くなるように形成されており、混毛化粧ブラシ１０の穂先１１に段差Ｌ３を形成する。
なお符号３は獣毛１の毛先、同４は合成繊維毛２の毛先であり、同５はブラシ毛を束ねる金具、同６はブラシ毛を植設する台である。
【００１８】
この穂先１１に存在する段差Ｌ３は、合成繊維毛２で形成されているため、この部分がお肌に接することになり、その結果穂先１１の合成繊維毛２の接触感や化粧料のさばき具合の特徴が生かされることとなる。
【００１９】
ついで図２のＡに示すように、穂先１１の側面視における中央部になだらかな傾斜の凹部１２を形成し、その凹部１２の左右になだらかな傾斜の凸部１３，１３を形成することで、顔の肌面のくぼんだ部分には凸部１３，１３をあてがうことで、顔の肌面の隆起した部分には凹部１２をあてがうことで、穂先１１が肌面に隙間なくフィットできるようになる。
これにより、顔の肌面の微妙な曲面に、穂先１１がまんべんなく接することができ、穂先の肌面への接触感が向上し、かつ化粧料のつきも良くなるという効果を発揮する。
【実施例】
【００２０】
本発明ブラシの実施例１ブラシと実施例２ブラシ、及び比較例１ブラシとの使用感に関する結果を、下記の表1に示す。
各ブラシは、穂丈寸法を２８ｍｍ，幅寸法を３８ｍｍ，厚さ寸法を５ｍｍとし、
○実施例１ブラシは、穂先形状が図２のＡに示す形状であって、馬毛５０％、ＰＢＴ５０％を均一混毛した（段差Ｌ３あり）。
○実施例２ブラシは、穂先形状が図２Ｄに示す形状であって、馬毛５０％、ＰＢＴ５０％を均一混毛した（段差Ｌ３あり）。
○比較例１ブラシは、穂先形状が図２のＡに示す形状であって、馬毛１００％の単一種ブラシであり、当然ながら段差Ｌ３はない。
○比較例２ブラシは、穂先形状が図２のＡに示す形状であって、馬毛５０％、ＰＢＴ５０％を均一混毛した（段差Ｌ３なし）。
【００２１】
【表１】
0005435557.tif 000002
記号の意味    ◎大変優れている  ○やや優れている  △やや劣っている
【産業上の利用可能性】
【００２２】
本発明によれば、混毛化粧ブラシを取り扱う分野で利用可能である。
【符号の説明】
【００２３】
１  獣毛
２  合成繊維毛
３  獣毛の毛先
４  合成繊維毛の毛先
５  金具
６  台
１０  混毛化粧ブラシ
１１  穂先
１２  穂先の凹部
１３  穂先の凸部
Ｌ１  獣毛の穂丈寸法
Ｌ２  合成繊維毛の穂丈寸法
Ｌ３  段差
【図１】
0005435557.tif 000003
【図２】
0005435557.tif 000004